(57)【特許請求の範囲】
【請求項１】
カード(C)の搬送経路(7)に沿ってカード受入装置(10)、磁気カード処理装置(20)、ICカード処理装置(40)の順に配置し、前記搬送経路(7)に沿ってカード(C)を搬送するための搬送装置(25,60)を備えたカード処理装置において、
ICカード処理装置(40)が搬送経路(7)から外れた位置に移動可能である、カード回収装置を備えたカード処理装置。
【請求項２】
ICカード処理装置(40)が磁気カード処理装置(20)の反対側端部を支点に回動可能である請求項1のカード回収装置を備えたカード処理装置。
【請求項３】
ICカード処理装置(40)の裏面にガイドプレート(69)が取り付けられ、ICカード処理装置(40)が回動したとき、カード(C)の搬送経路(7)に対し鈍角に交差する請求項２のカード回収装置を備えたカード処理装置。
【請求項４】
ガイドプレート(69)に続いてガイドプレート(69)よりも搬送経路(7)に対する交差角が大きいベンド部(69a)を有する請求項3のカード回収装置を備えたカード処理装置。
【請求項５】
搬送装置(59)が、カード受入装置(10)と磁気カード処理装置(20)との間に配置された第１搬送装置(25)と、磁気カード処理装置(20)とICカード処理装置(40)の間に配置された第２搬送装置(60)である請求項1のカード回収装置を備えたカード処理装置。
【発明の詳細な説明】
【０００１】
【発明が属する技術分野】
本発明は、カード回収装置を備えたカード処理装置に関する。
詳しくは、磁気カードとＩＣカードの２種類のカードを処理できるカード回収装置を備えたカード処理装置に関する。
さらに詳しくは、磁気テープが表或いは裏に配置された異なるタイプの磁気カードと、接触型のICカード及び非接触型のICカードを処理できるカード回収装置を備えたカード処理装置に関する。
【０００２】
本出願人は磁気カードとICカードの処理装置を特願平10-378148号(特開2000−182000)号において提案した。
このものは、カードの挿入口、磁気カードの処理装置、ICカードの処理装置、カードの貯留装置の順に配置されており、一台で磁気カードとICカードが処理できるものである。
さらに、磁気カード処理装置のガイドが回動してカードを傾斜させ、自然落下により回収できるものである。
【０００３】
上記装置において、カードの回収は、磁気カード処理装置を所定角度回動することにより行う。
具体的には、磁気カード処理装置の一部をカード搬送装置駆動用の回転軸を支点に所定角度回動させ、カードを傾けることにより、自然落下させる。
この構成は、カードの処理装置とカードの回収装置とを一体にしているため、小型化できるメリットを有する。
【０００４】
反面、搬送装置駆動用の回転軸と磁気カード処理装置のピボット軸とを兼用しているため、構造が複雑になり、組立性、メンテナンス性に劣るという欠点がある。
また、磁気カードにはJIS-1型（JIS-X-6302-1）とJIS-2型（JIS-X-6302-2）がある。
JIS-1型は、カードの裏側に磁気テープがあり、JIS-2型はカードの表側に磁気テープがある。
カード処理装置は、これら両カードを処理出来なければならない。
【０００５】
磁気テープの読み取り及び書き込み用の磁気ヘッドは、それら磁気テープに相対し、かつ、カードと接触するよう配置される。
これら磁気ヘッドは、カードの進行方向にずらして相対配置することができるが、カードの搬送経路が延びて装置が大型化するため、相対して配置される。
これにより、磁気ヘッドは先端部が接触した状態で配置される。
この構造において、カードは磁気ヘッド間に保持されるので、磁気カード処理装置を回動させても自然落下しない。
【０００６】
そのため、磁気ヘッドの一方を移動して前記保持を解除する必要がある。
カードを回収した後、磁気ヘッドを戻すことにより、磁気ヘッドどうしが衝突するので、磁気ヘッドに悪影響を与えることがある。
さらに、カード処理装置は、券売機などの主装置の内部に配置されるため、より一層の小型化が求められている。
【０００７】
【発明が解決しようとする課題】
本発明は、これらの課題を総合的に解決することを目的とする。
本発明の第１の目的は、組立性、メンテナンス性に優れたカード回収装置を備えたカード処理装置を提供することである。
本発明の第２の目的は、カードの表又は裏側にある磁気テープに読み込み及び書き込み可能なカード回収装置を備えたカード処理装置を提供することである。本発明の第３の目的は、カード回収装置を備えたカード処理装置を小型化することである。
【０００８】
【課題を解決するための手段】
本発明は、カードの搬送経路に沿ってカード受入装置、磁気カード処理装置、ICカード処理装置の順に配置し、前記搬送経路に沿ってカードを搬送するための搬送装置を備えたカード処理装置において、ICカード処理装置が搬送経路から外れた位置に移動可能である、カード回収装置を備えたカード処理装置である。
【０００９】
この構成において、カードの搬送経路から外れた位置へICカード処理装置が移動することにより、搬送装置によって搬送されるカードが回収部へ送られ、回収される。
すなわち、ICカード処理装置の移動によりカードが回収されるので、搬送装置と移動装置が一体に構成されず、構造が簡素化される。
磁気カード処理装置に相対配置される磁気ヘッドによりカードが保持される構造を採用した場合であっても、カードの回収は磁気ヘッドを外れたICカード処理装置部で行うので、自然落下を利用して回収でき、安価である。
【００１０】
本発明は、ICカード処理装置が磁気カード処理装置の反対側の端部を支点に回動可能であるることが好ましい。
この構成において、カードは磁気カード処理装置から搬送され、ICカード処理装置部で搬送経路から回収部へ逸らされて回収される。
したがって、ICカード処理装置とカード回収部が同一のスペースに配置されるので、小型化できる。
【００１１】
また、ICカード処理装置をピボット移動させるので、ICカード処理装置の一方は位置決めされており、他方のみ位置決めがすれば良いので通常時の位置決めが容易である。
さらに、移動装置は、ICカード処理装置の一部のみを移動させるので、小型化でき、かつ、安価である。
【００１２】
本発明は、ICカード処理装置の裏面にガイドプレートが取り付けられ、ICカード処理装置が回動したとき、カードの搬送経路に対し鈍角に交差することが好ましい。
この構成により、搬送装置によって搬送されるカードの先端は、ガイドプレートによって案内され、搬送経路から強制的に逸らされるので、回収部のスペースが狭くできる。
換言すると、カード処理装置を小型化できる。
【００１３】
本発明は、ガイドプレートに続いてガイドプレートよりも搬送経路に対する交差角が大きいベンド部を有することが好ましい。
この構成において、カードはガイドプレートによってガイドされて搬送経路から逸らされる。
引き続き、カードは搬送経路に対する交差角が大きいベンド部に案内されるので、さらに強制的にカードを搬送経路から逸らすことができる。
したがって、カードを搬送経路から逸らすために必要な距離を短くでき、結果として、カード処理装置はよりいっそう小型化される。
【００１４】
本発明は、搬送装置が、カード受入装置と磁気カード処理装置との間に配置された第１搬送装置と、磁気カード処理装置とICカード処理装置との間に配置された第２搬送装置で構成されることが好ましい。
この構成において、搬送装置は２つのみ使用されるので小型化でき、かつ、安価である。
【００１５】
【発明の実施の形態】
図１は、実施例のカード処理装置の斜視図である。
図２は、実施例のカード処理装置の主要部の斜視図である。
図３は、実施例のカード処理装置の断面図である。
図４は、実施例のカード処理装置の作用説明用断面図である。
【００１６】
本実施例において、カードは水平に移動する、しかし、その移動方向は、水平に限定されない。
カード処理装置1は、カード受入装置10、磁気カード処理装置20、ICカード処理装置40及びカード搬送装置59を有する。
カード処理装置1は、所定の間隔で平行に配置されたサイドフレーム2及び3をステー4、5で連結したフレーム6を有する。
カードの搬送経路7に沿って、カード受入装置10、磁気カード処理装置20、ICカード処理装置40が配置されている。
カード受入装置10は、横長矩形のカード受入口11を有する。
【００１７】
磁気カード処理装置20は、JIS-1型磁気カード用の第1磁気ヘッド21と、JIS-2型磁気カード用の第2磁気ヘッド22を含んでいる。
第1磁気ヘッド21は読み取り・書き込み型であって、一端をブラケット(図示せず)に固定し、他端をブラケットに対しスライド自在に取り付けた板バネ23の中央に固定されている。
板バネ23は、搬送経路7の下側に配置され、搬送経路7に沿って伸びている。
磁気ヘッド21の弧状先端部は、僅かに搬送経路7を横切って位置している。
第2磁気ヘッド22は読み取り・書き込み型であって、第1磁気ヘッド21と同様に板バネ23の中央に配置され、かつ、搬送経路7の上側に配置され、さらに、第１磁気ヘッド21に対し、対称に配置されている。
【００１８】
そのため、第2磁気ヘッド22の弧状先端部は僅かに搬送経路7を横切っている。すなわち、第1磁気ヘッド21と第2磁気ヘッド22の弧状先端部は進行経路に沿って僅かにずれ、かつ、接触している。
磁気カード処理装置20は、少なくとも第1磁気ヘッド21または第2磁気ヘッド22の一方を配置すればよい。
しかし、両磁気ヘッドを備えることにより、すべての磁気カードに対応することができる。
第１磁気ヘッド21及び第２磁気ヘッド22は、読み取り機能のみであってもよい。
【００１９】
受入装置10と第１磁気ヘッド21及び第２磁気ヘッド22との間に第1搬送装置25が配置されている。
第1搬送装置25は、搬送経路7の下側に配置した第1駆動ローラ26と、搬送経路7の上側に配置した第1押圧ローラ27を備えている。
第１駆動ローラ26は、サイドフレーム2、3に回転自在に支持された第1回転軸28と、第1回転軸28の両端部に固定したローラ29a、29bを備えている。
【００２０】
ローラ29a、29bは、本体が樹脂または金属で成形され、本体の周面にゴムリングを嵌めて構成されている。
すなわち、磁気カードとICカードは縦横のサイズは同一であるが、厚みが異なるため、ゴムリングが変形してその厚み差に関わらずカードを搬送するためである。
第１押圧ローラ27を弾性的にサポートすることにより、さらに効果的にカードの厚み差に対応できる。
【００２１】
第1押圧ローラ27は、サポートボックス30に固定された軸31と、軸31の端部に回転自在に支持されたローラ32a、32bを含んでいる。
ローラ32a、32bの構造は、ローラ29a、29bと同様である。
ローラ32aは、ローラ29aの上方に、ローラ29aの周面と最も薄いカードの厚み以下の間隔で配置されている。
ローラ32bは、ローラ29bの上方に、ローラ29bの周面とカードの厚み以下の間隔で配置されている。
【００２２】
換言すると、第1駆動ローラ26と第1押圧ローラ27は、搬送経路7の上下に相対配置されている。
第1押圧ローラ27は、第1駆動ローラ26に接触させることができる。
この場合、周囲のゴムリングが変形するので、カードに損傷を与えることがない。
サポートボックス30は、サイドフレーム2及び3の間に着脱自在に取り付けられる。
また、第1磁気ヘッド22は、サポートボックス30に取り付けられる。
【００２３】
次にICカード処理装置40を説明する。
ICカード処理装置40は、カード案内41とリードライト装置42を含んでいる。
カード案内装置41は、第3回転軸43に端部を回動可能に取り付けた一対のプレート44、45を基板46の側壁に固定してチャンネル状に構成されている。
チャンネル部は、カード搬送経路7に沿って伸びている。
基板46は、搬送経路7の僅かに下側に配置される。
プレート44に固定したピン47にロッド48の一端部がピボット可能に取り付けられる。
【００２４】
ロッド48の他端は、ギヤ付きモータ49の出力軸に固定されたクランク50の軸51にピボット可能に取り付けられている。
ピン47、ロッド48、ギヤ付きモータ49、クランク50及び軸51は、カード案内装置41の移動装置52を構成している。
換言すると、移動装置52は、ICカード処理装置40の移動装置である。
【００２５】
移動装置52は、ICカード処理装置40を搬送経路7から外れるように移動する機能を有していればよい。
したがって、移動装置52は、エアシリンダや、リニアモータを採用することができる。
また、ICカード処理装置40が搬送経路7に対し平行移動されても良い。
基板46の裏面に非接触型ICカード用の通信装置53が固定される。
【００２６】
通信装置53は、薄板状のアンテナである。
基板46の上側に配置した可動プレート54に接触型ICカード用の接触子55が固定されている。
可動プレート54は、プレート44、45に形成されたガイド溝56に沿って搬送経路7と平行に移動可能である。
【００２７】
さらに、磁気カード処理装置20側において、ガイド溝56に沿って搬送経路7から所定量離れることができる。
可動プレート54は、図示しないスプリングによって磁気カード処理装置20側へ付勢され、かつ、ガイド溝56の水平部で図示しないストッパにより停止されている。
【００２８】
可動プレート54の磁気カード処理装置20と反対側の端部に、下向きの突起57が固定されている。
突起57の磁気カード処理装置20側の端面57aは、カード搬送経路7に対し直交している。
また、突起57の端面57aと反対側の傾斜面57bは、搬送経路7を横切っている。リードライト装置42は、少なくとも接触型ICカード或いは非接触型ICカードの一方に対応していればよい。
【００２９】
磁気カード処理装置20とICカード処理装置40との間に、第２搬送装置60が配置されている。
第２搬送装置60は、第１搬送装置25と同様に搬送経路7の下側に配置した第２駆動ローラ61と、搬送経路7の上側に配置した第２押圧ローラ62を含んでいる。
第２駆動ローラ61は、第２回転軸63にローラ29a、29bと同一構成のローラ64a、64bが固定されている。
【００３０】
第２回転軸63は、サイドフレーム2、3に回転自在に支持されている。
第２押圧ローラ62は、軸65に回転自在なローラ66a、66bを含んでいる。
ローラ66a、66bはローラ32a、32bと同一構造である。
軸65は、サポートボックス30に取り付けられている。
カード受入装置10と第２搬送装置60の間の搬送経路7の上下にガイドボード67、68が配置され、カードを案内する。
【００３１】
搬送経路7よりも下側のプレート44、45の下部にガイドプレート69が固定されている。
ガイドプレート69に続いてガイドプレート69に対し鈍角でベンドしているベンド部69aが形成されている。
ガイドプレート69は、ICカード処理装置40が第3回転軸43を中心に回転されたとき、搬送経路7を横断するよう配置されている。(図4参照)
すなわち、ガイドプレート69は搬送経路7と鈍角で交差している。
【００３２】
ベンド部69aの延長線は、ガイドプレート69よりも大きな角度で搬送経路7と交差する。
ICカード処理装置40の下側の空間が回収部39である。
回収部39はICカード処理装置40と並置されている。
この構成により、カード処理装置1のカード搬送方向の長さが短縮される。
ICカード処理装置40の反磁気カード処理装置20側に、第３搬送装置70が配置されている。
【００３３】
第３搬送装置70は、第１搬送装置25及び第２搬送装置60と同一構造である。
搬送経路7の下側に配置した第3駆動ローラ71と、搬送経路7の上側に配置した第3押圧ローラ72を含んでいる。
第3駆動ローラ71は、第3回転軸43にローラ74a、74bが固定されている。
第3回転軸43は、サイドフレーム2、3に回転自在に支持されている。
第3押圧ローラ72は、軸75に回転自在なローラ76a、76bを含んでいる。
ローラ76a、76bはローラ32a、32bと同一構造である。
軸75は、サイドフレーム2、3に取り付けられている。
【００３４】
第１搬送装置25と第２搬送装置60との距離は、カードが両搬送装置にホールドされるよう設定されている。
第２搬送装置60と第3搬送装置70との距離は、カードが第２駆動ローラ61と第２押圧ローラ62とにホールドされた直後に第３駆動ローラ71と第３押圧ローラ72との間から抜け出るように設定されている。
【００３５】
第３搬送装置70は、その右側にカード送り出し装置を設置し、新カードをカード受入口11に送り出す場合必要である。
したがって、新カードを送り出さない場合、装着する必要はない。
すなわち、軸43のみ配置すればよい。
搬送装置59は、第1搬送装置25、第２搬送装置60を含んでいる。
新カードを払い出す場合、搬送装置59は第３搬送装置70も含む。
搬送装置59は、カードCを所定の方向に搬送できる機能を有していればどのようなタイプでもよい。
【００３６】
次に第１搬送装置25、第２搬送装置60、第3搬送装置70の駆動装置80を説明する。
第２搬送装置60とICカード処理装置40の間の搬送経路7の下方に配置した減速機付きモータ81の出力軸82にタイミングプーリ83が固定されている。
【００３７】
第２回転軸63に固定されたタイミングプーリ84とタイミングプーリ83との間にタイミングベルト86が巻掛けられている。
第１回転軸28に固定したタイミングプーリ87とタイミングプーリ83とにタイミングベルト88が巻掛けられている。
【００３８】
第３回転軸43に固定したタイミングプーリ89とタイミングプーリ83とにタイミングベルト90が巻掛けられている。
タイミングプーリ83、84、87、89は同一径のため、第１駆動ローラ26、第２駆動ローラ61、第３駆動ローラ71は同期回転され、かつ、周速度は同一である。
駆動装置80は、搬送装置59を同一速度で駆動できる機能を有していればどの様なタイプでもよい。
【００３９】
シャッタ装置91は、カード受入装置10と第１搬送装置25との間に配置されたプレート92、プレート92を移動するソレノイド93を含んでいる。
プレート92は、カード処理装置1が作動中は搬送経路7の外に位置している。
カードが挿入され、第１搬送装置25と第２搬送装置60との間に配置された第２センサ95がカードを検知しなくなったとき、プレート92は搬送経路7に突出される。
【００４０】
再び第２センサ95がカードを検知したとき、プレート92は移動され、搬送経路7から退出する。
シャッタ装置91と第１搬送装置25との間に第１センサ96が配置される。
第１センサ96及び第２センサ95は、本実施例では光電式センサであるが、他方式のセンサを用いることができる。
【００４１】
次に実施例の作用を説明する。
最初に、磁気カードの処理を説明する。
カード処理装置1が作動中であって、かつ、カードCが挿入されていないとき、プレート92は搬送経路7から退出している。
カードCを受入口11に挿入し、搬送経路7に送り込むと第１センサ96によって検知される。
この検知によってモータ81が回転され、駆動装置80を介して第１搬送装置25、第２搬送装置60、第３搬送装置70が作動される。
【００４２】
すなわち、第１駆動ローラ26、第２駆動ローラ61及び第３駆動ローラ71が図3において時計方向に回転される。
カードCは、第１駆動ローラ26と第１押圧ローラ27に保持され、図3において右方へ送られる。
この移動途上において、カードCは第１磁気ヘッド21と第２磁気ヘッド22の間に進入した後、第２駆動ローラ61と第２押圧ローラ62の間に進入する。
この途上でJIS-1型の場合、第１磁気ヘッド21によってデータが読み取られる。
JIS-2型の場合、第２磁気ヘッド22によってデータが読み取られる。
【００４３】
カードCは第２搬送装置60によって更に右方へ送られ、その先端部はリードライト装置42に達する。
第１センサ96がカードCを検知しなくなると、ソレノイド93によってプレート92が搬送経路7に移動され、器具を使った不正や、カードに接続したワイヤでカードを引き出すなどの不正が防止される。
【００４４】
カードCの先端は、その途上で突起57の端面57aに接触し、可動プレート54をスプリング力に反して右方へ移動させる。
カードCの後端が第２センサ95を通過すると、第２センサ95はカードCを検知しなくなる。
この非検知信号に基づいてモータ81は停止される。
このとき、カードCは可動プレート54を待機位置（図3の実線示位置）まで移動され、その後端部は第２駆動ローラ61と第２押圧ローラ62との間に保持されている。
カードCがこの待機位置に保持された状態で、主装置は所定の処理を行なった後、返却信号を出力する。
【００４５】
この返却信号に基づいて、モータ81は逆転され、駆動装置80を介して第１駆動ローラ26、第２駆動ローラ61及び第3駆動ローラ71が反時計方向へ回転される。
これによりカードCは第２搬送装置60によってカード受入口11へ向けて送られる。
この途中においてカードCは第１磁気ヘッド21と第２磁気ヘッド22の間に進入し、次に第１搬送装置25に保持され、カード受入口11側へ送り出される。
【００４６】
この過程でカードCは第１磁気ヘッド21又は第２磁気ヘッド22によって書き込まれる。
第１センサ96がカードCの先端を検知すると、ソレノイド93が作動してプレート92が搬送経路7から退出させられるので、カードCはカード受入口11へ送り出される。
カードCがカード受入口11から引き出され、第１センサ96がカードを検知しなくなると、モータ81は停止される。
【００４７】
次にICカードを処理するケースを説明する。
カード受入口11に挿入されたカードCは、第１搬送装置25及び第２搬送装置60によって前述同様搬送経路7に沿って図3において右方へ送られる。
そして、可動プレート54が待機位置に保持される。
このとき、接触型ICカードの場合、接触子55がカードCの接触子に接触している。
また、非接触型ICカードの場合、通信装置53によって書き込み可能位置にある。
【００４８】
この状態で所定の読み取り及び書き込み処理が行われた後、主装置から返却信号が送られる。
返却信号によってモータ81が逆転され、駆動装置80を介して第１駆動ローラ26、第２駆動ローラ61、第３駆動ローラ71が反時計方向へ回転される。
これにより、第２搬送装置60及び第１搬送装置25によって前述のようにカード受入口11へ送り出される。
【００４９】
次にカードを回収するときの作動を説明する。
この処理は、カードCが待機位置に達した以降に行われる。
主装置から回収信号が出力されると、まずモータ81が逆転する。
これにより、カードCは第２搬送装置60及び第１搬送装置25によりカード受入口11側へ搬送される。
第１センサ96がカードCを検知すると、モータ81が停止される。
【００５０】
つぎに、モータ49が回転され、クランク50の回転に伴って出力軸51、ロッド48、ピン47を介してカード案内41が第３回転軸43を中心に図3において時計方向に回動されて図4の状態になる。
この状態になったとき、図示しないセンサがプレート45の検知信号を出力し、この信号に基づいてモータ49が停止される。
結果として、ガイドプレート69が搬送経路7を斜めに横切るようになる。
詳細には、ガイドプレート69は、搬送経路7に対し鈍角に交差する。
【００５１】
この後、モータ81が正転され、カードCは第１搬送装置25及び第２搬送装置60によって図3において右方へ送られる。
結果として、カードCはガイドプレート68にガイドされて右下がりに傾斜し、第２搬送装置60を外れたところで回収部39に自然落下して回収される。
【００５２】
このとき、ベンド部69aの搬送経路7との交差角が大きいので、カードCは強制的に大きく下向きに偏向される。
この強制偏向により、回収部の経路長が短くとも確実に自然落下させることができる。
回収部39に、図示しないカードの保留装置が配置されている。
【００５３】
カードCが落下するに十分な時間経過後、モータ81は停止される。
次に、モータ49が回転され、クランク50の回転に伴って出力軸51が下方へ移動する。
これに伴ってICカード処理装置40が反時計方向へ回動され、図3に示す水平状態になったところで図示しないセンサにより検知され、モータ49が停止される。
【００５４】
次に、新カードを払い出すケースを説明する。
最初に、磁気カードの例を説明する。
第３搬送装置70の右方にあるカード保留装置（図示せず）から、新カードが送り出される。
新カードは、第3搬送装置70によってカード受入口11へ向かって送られる。
この途上で新カードの先端は傾斜面57bを押すので、可動プレート54は当初搬送経路7に沿って移動した後、案内溝56の傾斜部によってガイドされ、搬送経路7から離れる。
【００５５】
結果として突起57が搬送経路7を外れるため、新カードは突起56の下方を通過して後、第２搬送装置60及び第１搬送装置25の順に通過し、カード受入口11へ払い出される。
第1センサ96がカードCを検知しなくなったとき、モータ81は回転を停止され、新カードの払い出しが終了する。
この途上で第１磁気ヘッド21又は第２磁気ヘッド22によって書き込みが行われる。
【００５６】
次にICカードのケースを説明する。
新カードが第３搬送装置70、第２搬送装置60及び第１搬送装置25によってカード受入口11へ向かって搬送される。
第１センサ96が新カードを検知すると、モータ81は停止された後正転される。
前述のように、新カードは突起57を押して待機位置に保持され、所定の書き込みが行われた後、前述のようにカード受入口11へ送り出される。
【００５７】
【図面の簡単な説明】
【図１】図１は、実施例のカード処理装置の斜視図である。
【図２】図２は、実施例のカード処理装置の主要部の斜視図である。
【図３】図３は、実施例のカード処理装置の断面図である。
【図４】図４は、実施例のカード処理装置の作用説明用断面図である。
【符号の説明】
C        カード
7        搬送経路
10      カード受入装置
20      磁気カード処理装置
25      第１搬送装置
40      ICカード処理装置
59      搬送装置
69      ガイドプレート
69a      ベンド部
60      第２搬送装置
【図１】
0003855804.tif 000002
【図２】
0003855804.tif 000003
【図３】
0003855804.tif 000004
【図４】
0003855804.tif 000005